(57)【要約】【課題】本考案は、身体に加わる衝撃を吸収して身体に加わるダメージの軽減を図ることができる柔道稽古用アンダーウェアを提供する。【解決手段】柔道稽古用アンダーウェア１０はシャツ部１２とパンツ部１４とから構成されている。シャツ部１２の肩部１７、肘部１８、袖部２０にかけてはマジックテープ２２を介して肘袖衝撃吸収パッド２４が、脇腹部２６にはマジックテープ２２を介して脇腹衝撃吸収パッド２８が、背中部３０にはマジックテープ２２を介して背中衝撃吸収パッド３２が、それぞれ着脱可能に取り付けられている。また、前記パンツ部１４の臀部３４にはマジックテープ２２を介して臀部衝撃吸収パッド３６が、脚部３８にはマジックテープ２２を介して脚部衝撃吸収パッド４０が、それぞれ着脱可能に取り付けられている。【選択図】　　図１
0003099177.tif 000002
【実用新案登録請求の範囲】
【請求項１】
柔道着の下に着用される柔道稽古用アンダーウェアであって、この柔道稽古用アンダーウェアの適宜部分に取り付けられて衝撃を吸収することができる衝撃吸収パッドと、を有してなることを特徴とする柔道稽古用アンダーウェア。
【請求項２】
柔道着の下に着用される柔道稽古用アンダーウェアであって、この柔道稽古用アンダーウェアの適宜部分の外側面に設けられた係止手段を構成する第１係止部と、この第１係止部と着脱可能に係止されると共に前記第１係止部と一緒に前記係止手段を構成する第２係止部が設けられた衝撃を吸収することができる衝撃吸収パッドと、を有してなることを特徴とする柔道稽古用アンダーウェア。
【請求項３】
柔道着の下に着用される柔道稽古用アンダーウェアであって、この柔道稽古用アンダーウェアの適宜部分に内蔵されると共に衝撃を吸収することができる衝撃吸収パッドと、を有してなることを特徴とする柔道稽古用アンダーウェア。
【請求項４】
柔道着の下に着用される柔道稽古用アンダーウェアであって、前記柔道稽古用アンダーウェアの肩部から袖部にかけてマジックテープ（登録商標）を介して着脱可能に取り付けられた腕衝撃吸収パッドと、脇腹部にマジックテープ（登録商標）を介して着脱可能に取り付けられた脇腹衝撃吸収パッドと、背中部にマジックテープ（登録商標）を介して着脱可能に取り付けられた背中衝撃吸収パッドと、臀部にマジックテープ（登録商標）を介して着脱可能に取り付けられた臀部衝撃吸収パッドと、脚部にマジックテープ（登録商標）を介して着脱可能に取り付けられた脚部衝撃吸収パッドと、を有してなることを特徴とする柔道稽古用アンダーウェア。
【請求項５】
柔道着の下に着用される柔道稽古用アンダーウェアであって、前記柔道稽古用アンダーウェアの肩部から袖部にかけて内蔵された腕衝撃吸収パッドと、脇腹部に内蔵された脇腹衝撃吸収パッドと、背中部に内臓された背中衝撃吸収パッドと、臀部に内蔵された臀部衝撃吸収パッドと、脚部に内臓された脚部衝撃吸収パッドと、を有してなることを特徴とする柔道稽古用アンダーウェア。
【請求項６】
前記衝撃吸収パッドをウレタンフォーム、ポリエチレンフォーム、スポンジ等のクッション素材で形成したことを特徴とする請求項１、請求項２、請求項３、請求項４、請求項５記載の柔道稽古用アンダーウェア。
【考案の詳細な説明】
【０００１】
【考案の属する技術分野】
本考案は、主に柔道の稽古を行なう場合に柔道着の下に着用され、投げられた場合等に身体に加わる衝撃を吸収することができる柔道稽古用アンダーウェアに関する。
【０００２】
【従来の技術】
柔道の稽古において投げ技の稽古等をする場合は稽古の相手方は何回も投げられるため、畳に強く叩き付けられることにより受身の態勢をとっても腕や背中や脚等に衝撃が加わり痛みを感じたり、また、受身の態勢が悪い場合は怪我をするおそれがある。
そこで、投げられた時の衝撃を少しでも緩和するために柔道着の下にトレーナーウェア等を重ね着することにより、投げられた時の衝撃を緩和している。
しかし、このトレーナーウェア等は特に衝撃を吸収する機能は有していないために衝撃を吸収するという点においてはほとんど効果を上げることはできない。このため、稽古の相手方は投げられる度に痛みを感じるため投げ技の稽古が消極的になり投げ技の習得に支障をきたすという不具合がある。
【０００３】
【考案が解決しようとする課題】
本考案は上記事実に鑑みなされたものであり、身体に加わる衝撃を吸収して身体に加わるダメージの軽減を図ることができる柔道稽古用アンダーウェアを提供するものである。
【０００４】
【課題を解決するための手段】
請求項１の考案は、柔道着の下に着用される柔道稽古用アンダーウェアであって、この柔道稽古用アンダーウェアの適宜部分に取り付けられて衝撃を吸収することができる衝撃吸収パッドと、を有してなることを特徴としている。
請求項２の考案は、柔道着の下に着用される柔道稽古用アンダーウェアであって、この柔道稽古用アンダーウェアの適宜部分の外側面に設けられた係止手段を構成する第１係止部と、この第１係止部と着脱可能に係止されると共に前記第１係止部と一緒に前記係止手段を構成する第２係止部が設けられた衝撃を吸収することができる衝撃吸収パッドと、を有してなることを特徴としている。
請求項３の考案は、柔道着の下に着用される柔道稽古用アンダーウェアであって、この柔道稽古用アンダーウェアの適宜部分に内蔵されると共に衝撃を吸収することができる衝撃吸収パッドと、を有してなることを特徴としている。
請求項４の考案は、柔道着の下に着用される柔道稽古用アンダーウェアであって、前記柔道稽古用アンダーウェアの肩部から袖部にかけてマジックテープ（登録商標）を介して着脱可能に取り付けられた腕衝撃吸収パッドと、脇腹部にマジックテープ（登録商標）を介して着脱可能に取り付けられた脇腹衝撃吸収パッドと、背中部にマジックテープ（登録商標）を介して着脱可能に取り付けられた背中衝撃吸収パッドと、臀部にマジックテープ（登録商標）を介して着脱可能に取り付けられた臀部衝撃吸収パッドと、脚部にマジックテープ（登録商標）を介して着脱可能に取り付けられた脚部衝撃吸収パッドと、を有してなることを特徴としている。
請求項５の考案は、柔道着の下に着用される柔道稽古用アンダーウェアであって、前記柔道稽古用アンダーウェアの肩部から袖部にかけて内蔵された腕衝撃吸収パッドと、脇腹部に内蔵された脇腹衝撃吸収パッドと、背中部に内臓された背中衝撃吸収パッドと、臀部に内蔵された臀部衝撃吸収パッドと、脚部に内臓された脚部衝撃吸収パッドと、を有してなることを特徴としている。
請求項６の考案は、前記衝撃吸収パッドをウレタンフォーム、ポリエチレンフォーム、スポンジ等のクッション素材で形成したことを特徴としている。
【０００５】
【考案の実施の形態】
図１〜図４には本考案に係る柔道稽古用アンダーウェアの第１実施例が示されている。この柔道稽古用アンダーウェア１０は柔道着１１（図４参照）の下に着用するものである。
図１及び図２に示されるように、本考案の柔道稽古用アンダーウェア１０は分離したシャツ部１２とパンツ部１４とから構成され、これらシャツ部１２及びパンツ部１４は適宜素材の布地１６で形成され、図２に示されるように身体にフィットして着られるようになっている。
図１〜図３に示されるように、前記シャツ部１２の肩部１７、肘部１８、袖部２０にかけての布地１６の外側面には係止手段としてのマジックテープ２２を介して腕衝撃吸収パッド２４が着脱可能に取り付けられている。即ち、このマジックテープ２２は第１係止部としての雄マジックテープ２２Ａと第２係止部としての雌マジックテープ２２Ｂとから構成され、雄マジックテープ２２Ａは前記シャツ部１２の肘部１８から袖部２０にかけて縫い付けられ、また、雌マジックテープ２２Ｂは前記腕衝撃吸収パッド２４の裏面に縫い付けられている。従って、前記シャツ部１２の肘部１８から袖部２０にかけての布地１６の外側面にはマジックテープ２２を介して腕衝撃吸収パッド２４が着脱可能に取り付けられるようになっている。
前記シャツ部１２の脇腹部２６の布地１６の外側面にはマジックテープ２２を介して脇腹衝撃吸収パッド２８が着脱可能に取り付けられている。即ち、前記シャツ部１２の脇腹部２６の布地１６の外側面には雄マジックテープ２２Ａが縫い付けられ、また、前記脇腹衝撃吸収パッド２８の裏面には雌マジックテープ２２Ｂが縫い付けられている。従って、前記シャツ部１２の脇腹部２６の布地１６の外側面にはマジックテープ２２を介して脇腹衝撃吸収パッド２８が着脱可能に取り付けられるようになっている。
前記シャツ部１２の背中部３０の布地１６の外側面にはマジックテープ２２を介して背中衝撃吸収パッド３２が着脱可能に取り付けられている。即ち、前記シャツ部１２の背中部３０の布地１６の外側面には雄マジックテープ２２Ａが縫い付けられ、また、前記背中衝撃吸収パッド３２の裏面には雌マジックテープ２２Ｂが縫い付けられている。従って、シャツ部１２の背中部３０の布地１６の外側面にはマジックテープ２２を介して背中衝撃吸収パッド３２が着脱可能に取り付けられるようになっている。
前記パンツ部１４の臀部３４の布地１６の外側面にはマジックテープ２２を介して臀部衝撃吸収パッド３６が着脱可能に取り付けられている。即ち、前記パンツ部１４の臀部３４の布地１６の外側面には雄マジックテープ２２Ａが縫い付けられ、また、前記臀部衝撃吸収パッド３６の裏面には雌マジックテープ２２Ｂが縫い付けられている。従って、パンツ部１４の臀部３４の布地１６の外側面にはマジックテープ２２を介して臀部衝撃吸収パッド３６が着脱可能に取り付けられるようになっている。
前記パンツ部１４の脚部３８の布地１６の外側面にはマジックテープ２２を介して脚部衝撃吸収パッド４０が着脱可能に取り付けられている。即ち、前記パンツ部１４の脚部３８の布地１６の外側面には雄マジックテープ２２Ａが縫い付けられ、また、前記脚部衝撃吸収パッド４０の裏面には雌マジックテープ２２Ｂが縫い付けられている。従って、パンツ部１４の脚部３８の布地１６の外側面にはマジックテープ２２を介して脚部衝撃吸収パッド４０が着脱可能に取り付けられるようになっている。
なお、前記腕衝撃吸収パッド２４、脇腹衝撃吸収パッド２８、背中衝撃吸収パッド３２、臀部衝撃吸収パッド３６、脚部衝撃吸収パッド４０は弾性に優れたウレタンフォームで扁平に形成され、投げられて畳に叩き付けられたような場合に衝撃を効率良く吸収できるようになっている大きさに形成されている。
【０００６】
次に、第１実施例の柔道稽古用アンダーウェア１０の作用について説明する。図４に示されるように、投げ込み技の稽古等を行なう場合に投げられる相手方Ａは柔道着１１の下に前記柔道稽古用アンダーウェア１０を着用する。
投げ込み技の稽古によって投げられると相手方Ａは柔道用畳に叩き付けられるが、柔道着１１の下に着用した柔道稽古用アンダーウェア１０には腕衝撃吸収パッド２４、脇腹衝撃吸収パッド２８、背中衝撃吸収パッド３２、臀部衝撃吸収パッド３６、脚部衝撃吸収パッド４０がそれぞれ取り付けられている。
従って、投げられて柔道用畳に叩き付けられた時に生じる衝撃は前記腕衝撃吸収パッド２４、脇腹衝撃吸収パッド２８、背中衝撃吸収パッド３２、臀部衝撃吸収パッド３６、脚部衝撃吸収パッド４０によって効率良く吸収されるので痛みを感じることを激減することができる。
また、衝撃を吸収できるため、投げられた時の受身の態勢が悪くても怪我をするのを防止することができる。
この結果、投げ込み稽古等を積極的に行なうことが可能となり柔道技の習得に一層の効果を上げることができる。
なお、前記腕衝撃吸収パッド２４、脇腹衝撃吸収パッド２８、背中衝撃吸収パッド３２、臀部衝撃吸収パッド３６、脚部衝撃吸収パッド４０はマジックテープ２２によって柔道稽古用アンダーウェア１０に着脱可能に取り付けられているので、簡単に腕衝撃吸収パッド２４、脇腹衝撃吸収パッド２８、背中衝撃吸収パッド３２、臀部衝撃吸収パッド３６、脚部衝撃吸収パッド４０を着脱できるので、柔道稽古用アンダーウェア１０の洗濯等も頻繁に行なうことができると共に衛生的である。
【０００７】
図５には柔道稽古用アンダーウェアの第２実施例が示されている。なお、第１実施例と同一の構成は同一の符号を用いて、その説明は省略する。
第２実施例の柔道稽古用アンダーウェア５０もシャツ部１２とパンツ部１４とから構成されている。
前記シャツ部１２の肩部１７、肘部１８、袖部２０にかけての布地１６の外側部には腕表地５２が縫い付けられ、布地１６と腕表地５２の間には腕衝撃吸収パッド５４が内蔵されている。前記肘袖表地５２には開口スリット５６が形成され、開口スリット５６を介して腕衝撃吸収パッド５４を出し入れできるようになっている。
また、前記シャツ部１２の脇腹部の布地１６の外側部には脇腹表地５８が縫い付けられ、布地１６と脇腹表地５８との間には脇腹衝撃吸収パッド６０が内蔵されている。前記脇腹表地５８には開口スリット５６が形成され、開口スリット５６を介して脇腹衝撃吸収パッド６０を出し入れできるようになっている。
前記シャツ部１２の背中部３０の布地１６の外側部には背中表地６２が縫い付けられ、布地１６と背中表地６２との間には背中衝撃吸収パッド６４が内蔵されている。前記背中表地６２には開口スリット５６が形成され、開口スリット５６を介して背中衝撃吸収パッド６４を出し入れできるようになっている。
前記パンツ部１４の臀部３４の布地１６の外側部には臀部表地６６が縫い付けられ、布地１６と臀部表地６６の間には臀部衝撃吸収パッド６８が内蔵されている。前記臀部表地６６には開口スリット５６が形成され、開口スリット５６を介して臀部衝撃吸収パッド６８を出し入れできるようになっている。
また、前記パンツ部１４の脚部３８の布地１６の外側部には脚部表地７０が縫い付けられ、布地１６と脚部表地７０の間には脚部衝撃吸収パッド７２が内蔵されている。前記脚部表地７０には開口スリット５６が形成され、開口スリット５６を介して脚部衝撃吸収パッド７２を出し入れできるようになっている。
なお、前記柔道稽古用アンダーウェア５０を洗濯する場合は、腕衝撃吸収パッド５４、脇腹衝撃吸収パッド６０、背中衝撃吸収パッド６４、臀部衝撃吸収パッド６８、脚部衝撃吸収パッド７２を取り出して洗濯することができる。
なお、他の構成、作用、効果は第１実施例の柔道稽古用アンダーウェア１０と同一であるので、その説明は省略する。
【０００８】
図６には柔道稽古用アンダーウェアの第３実施例が示されている。なお、第１実施例及び第２実施例と同一の構成は同一の符号を用いて、その説明は省略する。
第３実施例の柔道稽古用アンダーウェア８０もシャツ部１２とパンツ部１４とから構成されている。
前記シャツ部１２の肩部１７、肘部１８、袖部２０にかけての布地１６の外側部には腕衝撃吸収パッド５４が縫い付けられている。また、前記シャツ部１２の脇腹部２６の布地１６の外側部には脇腹衝撃吸収パッド６０が縫い付けられている。前記シャツ部１２の背中部３０の布地１６の外側部には背中衝撃吸収パッド６４が縫い付けられている。
前記パンツ部１４の臀部３４の布地１６の外側部には臀部衝撃吸収パッド６８が縫い付けられている。また、前記パンツ部１４の脚部３８の布地１６の外側部には脚部衝撃吸収パッド７２が縫い付けられている。
従って、柔道稽古用アンダーウェア８０には腕衝撃吸収パッド５４、脇腹衝撃吸収パッド６０、背中衝撃吸収パッド６４、臀部衝撃吸収パッド６８、脚部衝撃吸収パッド７２がそれぞれ直接縫い付けられているので、前記腕衝撃吸収パッド５４、脇腹衝撃吸収パッド６０、背中衝撃吸収パッド６４、臀部衝撃吸収パッド６８、脚部衝撃吸収パッド７２を容易に着脱することはできないが、他の構成、作用、効果は第１実施例の柔道稽古用アンダーウェア１０と同一であるので、その説明は省略する。
【０００９】
なお、実施例では柔道稽古用アンダーウェア１０、５０、８０はシャツ部１２とパンツ部１４が分離したタイプのものを示したが、シャツ部１２とパンツ１４が繋がって一体となっているタイプの柔道稽古用アンダーウェアでもよいことは勿論である。
また、実施例では前記衝撃吸収パッドの素材としてウレタンフォームを用いたが、パッドの素材はウレタンフォームに限定されるものでなく、ポリウレタンフォーム、スポンジ等の衝撃を吸収するクッション素材であれば他のクッション素材でもよいことは勿論である。
なお、実施例では係止手段としてマジックテープ（登録商標）２２を示したが、係止手段はマジックテープ（登録商標）２２に限定されるものでないことは勿論である。
また、実施例では柔道稽古用アンダーウェア１０、５０，８０は投げ技の稽古をする場合に投げられる相手方が柔道着１１の下に着用する場合を例にして示したが、柔道稽古用アンダーウェア１０の着用はこれに限定されるものでないことは勿論である。
なお、第１実施例ではマジックテープ２２の大きさを腕衝撃吸収パッド２４、脇腹衝撃吸収パッド２８、背中衝撃吸収パッド３２、臀部衝撃吸収パッド３６、脚部衝撃吸収パッド４０と略同一の大きさにしたが、前記腕衝撃吸収パッド２４、脇腹衝撃吸収パッド２８、背中衝撃吸収パッド３２、臀部衝撃吸収パッド３６、脚部衝撃吸収パッド４０を確実に取り付けることができればマジックテープ２２の大きさは小さく形成してもよいことは勿論である。
【００１０】
【考案の効果】
本考案の柔道稽古用アンダーウェアは、適宜個所に衝撃吸収パッドが設けられているので投げられた時の衝撃を衝撃吸収パッドが吸収、緩衝することができるので投げられても身体に痛みを感じることを激減できると共に受身の態勢が悪くても怪我をするのを防止することができるという優れた効果を有する。
また、本考案の柔道稽古用アンダーウェアは、投げられた時の衝撃を衝撃吸収パッドで吸収、緩衝することができるので、投げ込み稽古の相手方を務めることが苦痛にならないため投げ技の習得に一層の効果をあげることができるという優れた効果を有する。
【図面の簡単な説明】
【図１】第１実施例の柔道稽古用アンダーウェアの背面図である。
【図２】第１実施例の柔道稽古用アンダーウェアを斜め背面からみた斜視図である。
【図３】第１実施例の柔道稽古用アンダーウェアから衝撃吸収パッドを取り外した場合の斜め背面からみた斜視図である。
【図４】第１実施例の柔道稽古用アンダーウェアを着用して稽古をしている状態図である。
【図５】第２実施例の柔道稽古用アンダーウエアの背面図である。
【図６】第３実施例の柔道稽古用アンダーウエアの背面図である。
【符号の説明】
１０　　柔道稽古用アンダーウェア
１２　　シャツ部
１４　　パンツ部
１６　　布地
２２　　マジックテープ
２４　　腕衝撃吸収パッド
２８　　脇腹衝撃吸収パッド
３２　　背中衝撃吸収パッド
３６　　臀部衝撃吸収パッド
４０　　脚部衝撃吸収パッド
【図１】
0003099177.tif 000003
【図２】
0003099177.tif 000004
【図３】
0003099177.tif 000005
【図４】
0003099177.tif 000006
【図５】
0003099177.tif 000007
【図６】
0003099177.tif 000008